(57)【要約】      （修正有）【課題】構造を複雑化することなく記録媒体を装填可能な電子機器を提供する。【解決手段】メモリーカード１００が挿入されるカードコネクタ部１１と、カードコネクタ部１１に設けられ、メモリーカード１００が挿入方向の所定位置までカードコネクタ部１１に挿入されることにより、メモリーカード１００がロック位置よりも抜き取り方向への移動しないよう規制するロック部材の作動を開始させるロック機構部と、カードコネクタ部１１を覆う位置と開放する位置とに移動可能なカバー部材２０と、カバー部材２０に設けられ、カバー部材２０の閉動作の際にメモリーカード１００と接触し、メモリーカード１００を前記所定位置まで挿入する突起部３０とを具備する。【選択図】図２
2007272658.tif 000002
【特許請求の範囲】
【請求項１】
メモリーカードが挿入されるカードコネクタ部と、
前記カードコネクタ部に設けられ、前記メモリーカードが挿入方向の所定位置まで前記カードコネクタ部に挿入されることにより、ロック位置よりも抜き取り方向へ移動しないように規制するロック部材を作動させるロック機構部と、
前記カードコネクタ部を覆う位置と開放する位置とに移動可能なカバー部材と、
前記カバー部材に設けられ、前記カバー部材の閉動作の際に前記メモリーカードと接触し、前記メモリーカードを前記所定位置まで挿入する突起部とを具備することを特徴とする電子機器。
【請求項２】
請求項１に記載の電子機器において、
前記カバー部材は、前記メモリーカードの挿入方向に対して垂直方向な閉方向に移動可能であり、
前記突起部は、前記挿入方向に対して傾斜した第１斜面を有し、前記カバー部材が前記閉方向に移動する際に、前記メモリーカードが前記第１斜面と接触することにより前記メモリーカードが所定位置まで挿入されることを特徴とする電子機器。
【請求項３】
請求項２に記載の電子機器において、
前記突起部は、前記第１斜面とは異なり、前記挿入方向に対して傾斜したと第２斜面をさらに有し、
前記カバー部材が前記閉方向とは逆方向の開方向に移動する際に、前記メモリーカードが前記第２斜面と接触することにより前記メモリーカードが所定位置まで挿入されることを特徴とする電子機器。
【発明の詳細な説明】
【技術分野】
【０００１】
本発明は電子機器に関する。
【背景技術】
【０００２】
従来、記録媒体を覆う蓋部材の開動作に連動させたバネやレバーにより記録媒体の取り出すものがある（例えば特許文献１）
【特許文献１】特開平６−３２５２２１号公報
【発明の開示】
【発明が解決しようとする課題】
【０００３】
しかしながら、上記特許文献１では記録媒体を取り出すために別途ばねや歯車等複雑な機構が必要となる。また部品点数も増加するためコストが増加する。
本発明は、構造を複雑化することなく記録媒体を装填可能な電子機器を提供することを目的とする。
【課題を解決するための手段】
【０００４】
本発明を適用した電子機器は、メモリーカードが挿入されるカードコネクタ部と、前記カードコネクタ部に設けられ、前記メモリーカードが挿入方向の所定位置まで前記カードコネクタ部に挿入されることにより、前記メモリーカードがロック位置よりも抜き取り方向への移動しないよう規制するロック部材を作動を開始させるロック機構部と、前記カードコネクタ部を覆う位置と開放する位置とに移動可能なカバー部材と、前記カバー部材に設けられ、前記カバー部材の開閉動作の際に前記メモリーカードと接触し、前記メモリーカードを前記所定位置まで挿入する突起部とを具備する。
【発明の効果】
【０００５】
本発明を適用した電子機器は、構造を複雑化することなく記録媒体を装填できる。
【発明を実施するための最良の形態】
【０００６】
本発明を適用した実施の形態におけるデジタルカメラ１のメモリーカード挿入部分について説明する。
＜各部材＞
カバー１０が全開状態にあるメモリーカード挿入部の斜視図を図１aに示す。また図１aでのX―Xによる断面図を図２に示す。
【０００７】
カバー２０は、外壁部２０aおよび内壁部２０ｂ、接続部２０ｃより構成される。内壁部２０ｂには、突起部３０が配設されている。接続部２０ｃには断面が略長方形状の孔２０ｄがもうけられている。
【０００８】
カメラボディ１０には、記録媒体を挿入するための長方形状の開口部１０a、カバー２０の孔３０ｄに挿入されるピン１０ｂがもうけられている。
図２に示すようにカメラボディ１０内部には、カードコネクタ１１およびカードコネクタ１１を保持する回路基盤１２が配置されている。回路基盤１２はカメラボディ１０に固定されている。カードコネクタ１１には、図２に示すようにカメらボディ１０開口部１０aを通して矢印A方向（挿入方向）にメモリーカード１００が挿入される。メモリーカード１００は、電子データを記憶するための記録媒体である。
【０００９】
＜カバーの開閉機構＞
次にカバー２０の開閉動作について図２〜６を用いて説明する。
まず、図２に示したカバー２０が全開の状態から図６に示したカバー２０の全閉状態へのカバー２０の動作（開動作）について説明する。まず図２に示す状態よりカバー２０をピン１０ｂを軸として矢印B方向へ回転し、図３の状態を経て図４に示す状態になるまで回転させる。次に、図４に示す状態からカバー２０を閉方向（矢印C方向）へ移動させる。なお矢印C方向は、メモリーカード１００の挿入方向（矢印A方向）に対し略垂直となる。なお、図４に示す状態より矢印C方向へ移動させるとカバー２０は不図示の規制部材により矢印B方向とは逆の方向への回動が禁止され閉方向又は開方向（矢印C方向と逆の方向）のみ可能となる。カバー２０を図５に示す状態を経て図６に示す状態まで移動させると不図示のロック機構によりロックされカバー２０は閉状態となる。
【００１０】
カバーを閉状態から全開状態にする際のカバー２０の動作（開動作）は、上述の閉動作と逆の手順をふめば良く、カバー２０を図４に示した状態まで開方向（矢印C方向とは逆の方向）に移動させた後に、ピン１０ｄを軸に矢印B方向とは逆の方向に回動させれば良い。
【００１１】
＜カードコネクタの挿抜機構＞
カードコネクタ１１は、周知のプッシュロック機構を備えている。
メモリーカード１００をカードコネクタ１１に差し込み、図５に示すロック開始解除位置まで押し込まれると、ロック機構によりメモリーカード１００が図６に示すロック位置より抜き取り不能にロックされる。メモリーカード１００がロック位置にある際に再び図５に示すロック開始解除位置まで再度メモリーカード１００が押し込まれるとロックが解除されカードコネクタ１１からメモリーカード１００が抜き取り可能となる。なお、図４および図５、図６の状態では、メモリーカード１００の接点１００aと、カードコネクタ１１の端子１１aとが接触しているためメモリーカード１００と回路基盤１２とが通信可能である。
【００１２】
メモリーカード１００の挿入した際のロック機構について説明する。図３に示した状態でのX−X’断面図を図７aに、図５に示した状態でのX―X’断面図を図７ｂに、図６に示した状態でのX―X’断面図を図７ｃに示す。
【００１３】
まず、メモリーカード１００が図７aに示す状態まで挿入される。次に図７ｂに示す状態まで挿入するとロック機構５０がメモリーカード先端部１００ｃにより、メモリーカード１００と共に挿入方向に押し込まれ、ロック部材５０aがメモリーカード１００の切りかき部１００ｄに挿入される。メモリーカード１００はロック機構５０のバネ５０ｂにより図７ｃに示す位置まで押戻される。ロック機構５０は図７ｃに示した位置より抜き取り方向へは移動しないため、メモリーカード１００はロック部材５０aにより図７ｃに示した状態より抜き取り方向への移動が規制される。
【００１４】
図７ｃに示したメモリーカード１００がロック機構５０により抜き取り方向の移動が規制されている状態から、メモリーカード１００を図７ｂに示す状態まで挿入方向へ再度押し込まれると、ロック機構５０のロック部材５０aが切りかき部１００ｄより抜き取られ（ロックが解除）図７aに示したようにメモリーカード１００が抜き取り可能となる。
【００１５】
なお、プッシュロック機構としては上記に限るものではない。メモリーカードを挿入をロック開始解除位置まで押し込まれることにより、ロック位置より抜き取り方向（矢印Ａと逆の方向）への移動を規制しロック状態となり、さらに該ロック状態より再びロック開始解除位置までメモリーカードを挿入することによりロック状態が解除されメモリーカードが抜き取り可能となればどのようなロック機構を用いても良い。
【００１６】
＜カバー２０の開閉に応じたメモリーカード１００の挿抜＞
本発明におけるデジタルカメラは、カバー２０の開閉動作に伴い突起部３０により、メモリーカード１００をロック開始解除位置まで押し込むことが可能である。
【００１７】
まず、図４を基にカバー２０の内壁部２０ｂの設けられた突起部３０について説明する。図示のごとく、突起部３０は、スライドカバー２０が図４に示した状態ある際に、挿入方向（矢印C）に最も突出した頂部３０ｂおよび、頂部３０ｂを介して斜面３０aおよび斜面３０ｃが設けられている。
【００１８】
次に閉動作に伴ってメモリーカード１００がカードコネクタ１１に挿入され、ロックされるまでの様子について説明する。
まず図３に示す位置までメモリーカード１００をカードコネクタ１１に挿入する。この時点でメモリーカード１００はロック状態でない。次に図３に示す状態から図４に示す状態まで、カバー２０をピン１０ｂを軸に矢印B方向に回動させると、メモリーカード１００の端部１００ｂがカバー２０内壁部２０ｂにもうけられた突起３０の斜面３０aに接触するため、メモリーカード１００は回動に応じて図４に示す状態までカードコネクタ１１に押し込まれる。次に図４に示した状態よりカバー２０をカバー閉方向（矢印C方向）にスライド移動されると、メモリーカード２０の端部１００ｂがメモリーカード挿入方向に対して傾斜した突起部３０の斜面３０aに接触しているため、メモリーカード１００はメモリーカード挿入方向へさらに押し込まれる。カバー２０が図５に示す位置までスライド移動され、メモリーカード１００端部１００ｂが頂部３０ｂに接触する位置までくると、メモリーカード１００がロック開始解除位置まで挿入されるため、ロック機構５０のロック部材５０aがメモリーカード１００の切りかき部１００ｄに挿入されメモリーカード１００がロックされる。さらにカバー２０をカバー閉方向へ移動させると、メモリーカード１００ロック機構５０のバネ５０ｂの付勢力により突起部３０の斜面３０ｃに沿って図６に示すロック位置まで排出される。この状態ではメモリーカード１００の切りかき部にロック部材５０aが挿入されているため、メモリーカード１００はこれ以上抜き取り方向へ移動しないように規制される。
【００１９】
次にメモリーカード１００が開動作によってロックを解除し抜き取り可能となる様子について説明する。
図６に示した閉状態からカバー２０を開方向（矢印C方向とは逆方向）にスライド移動させると、メモリーカード１００端部１００ｂが突起部３０の斜面３０ｃと接触しているため、メモリーカード１００が再び挿入方向に押し込まれる。さらに図５に示した状態までカバー２０を移動させると、メモリーカード１００端部１００ｂが頂部３０ｂに接触しロック開始解除位置再び挿入されるため、ロック機構５０のロック部材５０aによるロックが解除される。これによりメモリーカード１００がカードコネクタ１１から抜き取り可能となる。
【００２０】
従来のプッシュロック機構を有するカードコネクタを具備した電子機器では、メモリーカードをロック開始解除位置まで指等で押し込み、メモリーカードをロックした後に、メモリーカード挿入口を覆うカバーを閉じて使用していた。またメモリーカードを取り出す際はカバーを開き、さらに指等でメモリーカードをロック開始解除位置まで押し込んでロックを解除した後に抜き取る必要があった。
【００２１】
本発明におけるデジタルカメラ１では、カバー２０の閉動作を行うだけで、カードコネクタ１１にメモリーカード１００をロックすることができる。そのため、ユーザーは、すばやくメモリーカードをデジタルカメラ１に装填およびロックをし、使用することができる。
【００２２】
また、メモリーカードを取り出す際は、カバー２０の開動作を行うだけで、メモリーカード１００のロックも解除され、メモリーカード１００が取り出し可能となる。そのため、ユーザーはすばやくメモリーカードをデジタルカメラ１から抜き取り可能となる。
【００２３】
また、デジタルカメラ１では、カバー２０の開閉に機械的に連動した複雑な挿抜機構を設ける必要がなく、カバー２０に突起部３０を設けるだけで良いため低コスト抑えて実現可能である。
【００２４】
以上本発明を適用したデジタルカメラ１について説明したが、本発明はこれに限るものではない。例えば本発明を、メモリーカード等の記録媒体を収納するプッシュロック機構を有する記録媒体の収納部を具備するものならどのような機器に適用しても良く。例えば、デジタルビデオカメラや携帯電話、ハードディスクビデオレコーダー等の電子機器に搭載しても良い。
【図面の簡単な説明】
【００２５】
【図１】メモリーカード挿入部の斜視図
【図２】メモリーカード挿入部の断面図
【図３】メモリーカード挿入部の断面図
【図４】メモリーカード挿入部の断面図
【図５】メモリーカード挿入部の断面図
【図６】メモリーカード挿入部の断面図
【図７】カードコネクタ断面図
【符号の説明】
【００２６】
１０  カメラボディ
１１  カードコネクタ
１２  回路基盤
２０  カバー
３０  突起部
１００  メモリーカード
【図１】
2007272658.tif 000003
【図２】
2007272658.tif 000004
【図３】
2007272658.tif 000005
【図４】
2007272658.tif 000006
【図５】
2007272658.tif 000007
【図６】
2007272658.tif 000008
【図７】
2007272658.tif 000009